(57)【要約】  【課題】  周期録画された番組タイトル名が同一のシリーズの動画像を容易に判別できるインデックス画像を簡便に作成できる動画像処理装置を提供する。  【解決手段】  周期録画された番組タイトル名が同一の動画像について、その各動画像のインデックス画像には、その動画像のうちの１つの基準動画像から選択された静止画像が一律に設定される。【選択図】      図２
2006339720.tif 000002
【特許請求の範囲】
【請求項１】
一定の周期で順に記録される動画像各々についてのインデックス画像を作成する動画像
処理装置において、
基準となる１つの動画像を特定する基準動画像特定手段と、
この基準動画像特定手段で特定された基準動画像のインデックス画像として、その基準
動画像から静止画像を選択して設定する基準インデックス画像設定手段と、
前記基準動画像の記録された周期と同一の周期の動画像を特定する関連動画像特定手段
と、
この関連動画像特定手段で特定された関連動画像のインデックス画像として、前記基準
インデックス画像設定手段で設定された基準静止画像を採択して設定する関連インデック
ス画像設定手段と、を備え、
前記基準動画像が同一周期の動画像のうちの最初に記録された動画像であり、
前記関連動画像特定手段及び前記関連インデックス画像設定手段は、前記関連動画像が
新たに記録される度に実行されることを特徴とする動画像処理装置。
【請求項２】
一定の周期で順に記録される動画像各々についてのインデックス画像を作成する動画像
処理装置において、
基準となる１つの動画像を特定する基準動画像特定手段と、
この基準動画像特定手段で特定された基準動画像のインデックス画像として、その基準
動画像から静止画像を選択して設定する基準インデックス画像設定手段と、
前記基準動画像の記録された周期と同一の周期の動画像を特定する関連動画像特定手段
と、
この関連動画像特定手段で特定された関連動画像のインデックス画像として、前記基準
インデックス画像設定手段で設定された基準静止画像を採択して設定する関連インデック
ス画像設定手段と、を備えたことを特徴とする動画像処理装置。
【請求項３】
前記基準動画像が同一周期の動画像のうちの最初に記録された動画像であることを特徴
とする請求項２に記載の動画像処理装置。
【請求項４】
前記関連動画像特定手段及び前記関連インデックス画像設定手段は、前記関連動画像が
新たに記録される度に実行されることを特徴とする請求項２又は３に記載の動画像処理装
置。
【発明の詳細な説明】
【技術分野】
【０００１】
本発明は、ＨＤＤ（Hard Disk Drive）レコーダやＤＶＤ（Digital Versatile Disk）
レコーダといったように、記録媒体に動画像のデータを記録し、記録されたそのデータを
読み出して動画像を再生する動画像処理装置に関する。
【背景技術】
【０００２】
一般の動画像処理装置は、アナログ放送やデジタル放送によって送信された番組を予約
録画や録画操作に基づき記録媒体であるハードディスクやＤＶＤ等に動画像データとして
記録し、後に、その動画像データを再生操作に基づきモニタ装置に送出して番組を表示さ
せる。そして、記録媒体には多くの場合多数の動画像が録画されているため、所望する動
画像を容易に検索できるようにする観点から、録画されている各動画像からそれぞれ一静
止画像をインデックス画像（いわゆるサムネイル画像）として設定し、そのインデックス
画像を一覧表示させる機能を持ち合わせている。
【０００３】
ここでのインデックス画像には、動画像の中から先頭の静止画像が自動的に設定された
り、編集モードによって動画像を再生しながらその中から適切な静止画像が選択されて設
定されたりするのが従来一般的である。
【０００４】
前者の場合、先頭の静止画像がインデックス画像として自動的に設定されることから、
簡便である。その反面、そのインデックス画像（先頭の静止画像）がこれを含む動画像を
代表して表すものとはほど遠いことが多く、この場合は、動画像の検索には甚だ不適当で
ある。例えば、予約録画に基づいて録画された動画像では、その番組タイトル名等が記さ
れた画像は後にして、先頭には、ＣＭ（Commercial Message）の画像や、番組本編の一場
面の画像が含まれることが多いからである。
【０００５】
他方後者の場合は、動画像の内容に見合った適切な静止画像がインデックス画像として
設定されることから、動画像の検索に十分適用できる。その反面、個々の動画像ごとに編
集モードでの設定が必要であるため、煩雑であるという不都合がある。
【０００６】
このような従来一般の動画像処理装置に対し、特許文献１には、特に、予約録画に基づ
いて一定の周期で順に記録（以下、「周期録画」と記すことがある）される番組タイトル
名が同一のシリーズの動画像について、その動画像各々のインデックス画像を作成する動
画像処理装置が開示されている。この動画像処理装置では、周期録画された動画像のうち
のある１つの動画像について、その動画像から編集モードによって適切な静止画像が選択
されてその動画像のインデックス画像として設定されるとともに、その動画像中でのその
静止画像の位置情報（時間情報）が保存される。そして、新たに同一周期で周期録画され
る動画像を含む他の動画像については、その各動画像から先の位置情報と同じ位置での静
止画像が自動的に選択されて各動画像のインデックス画像として設定されるようになって
いる。
【０００７】
このような特許文献１の動画像処理装置の場合、周期録画されたシリーズの動画像につ
いてのインデックス画像は、ある１つの動画像については、編集モードによってその動画
像の先頭から所定時間ずれた位置での適切な静止画像となり、他の動画像については、自
動的にその各動画像の先頭から所定時間ずれた位置での静止画像となる。従って、動画像
ごとの編集モードでのインデックス画像の設定が不要となるため、簡便であるし、また、
番組内の場面構成、すなわち番組タイトル名や番組本編やＣＭ等の場面が流れる時期が動
画像ごとに一致するという前提のもとでは、各動画像のインデックス画像が適切になるた
め、インデックス画像を一覧表示してシリーズの動画像の検索を行う際、容易な判別が一
応は期待できる。
【特許文献１】特開２００４−２２２２６８号公報
【発明の開示】
【発明が解決しようとする課題】
【０００８】
ところが、番組タイトル名が同一のシリーズの動画像とはいえ、動画像ごとに番組内の
場面構成が必ずしも一致しているとは限らず、事実、番組タイトル名や番組本編やＣＭ等
の場面が流れる時期が微妙に異なる場合も多い。この場合、上記した特許文献１の動画像
処理装置では、そもそもシリーズの動画像であれば番組内の場面構成が動画像ごとに一致
するであろうことを前提としているため、この前提が崩れると、編集モードによってイン
デックス画像が設定されたある１つの動画像を除く他の動画像については、その各動画像
のインデックス画像（静止画像）がこれを含む動画像を代表しているとは到底いえないも
のとなる。従って、インデックス画像を一覧表示して動画像の検索を行う際、シリーズの
動画像でさえ判別が困難になる。
【０００９】
そこで本発明は、上記の問題に鑑みてなされたものであり、周期録画された番組タイト
ル名が同一のシリーズの動画像を容易に判別できるインデックス画像を簡便に作成できる
動画像処理装置を提供することを目的とするものである。
【課題を解決するための手段】
【００１０】
上記目的を達成するため、本発明による動画像処理装置は、一定の周期で順に記録され
る動画像各々についてのインデックス画像を作成する動画像処理装置において、基準とな
る１つの動画像を特定する基準動画像特定手段と、この基準動画像特定手段で特定された
基準動画像のインデックス画像として、その基準動画像から静止画像を選択して設定する
基準インデックス画像設定手段と、前記基準動画像の記録された周期と同一の周期の動画
像を特定する関連動画像特定手段と、この関連動画像特定手段で特定された関連動画像の
インデックス画像として、前記基準インデックス画像設定手段で設定された基準静止画像
を採択して設定する関連インデックス画像設定手段と、を備えている。そして、前記基準
動画像が同一周期の動画像のうちの最初に記録された動画像であり、前記関連動画像特定
手段及び前記関連インデックス画像設定手段は、前記関連動画像が新たに記録される度に
実行されるようになっている。
【００１１】
このような構成にすると、周期録画された番組タイトル名が同一のシリーズの動画像に
ついて、その各動画像のインデックス画像には、その動画像のうちの最初に記録された動
画像から選択された静止画像が一律に設定されることになる。つまり、シリーズの動画像
各々についてのインデックス画像が全て同一のものとなる。しかも、そのインデックス画
像の設定に関しては、動画像ごとの編集モードでの設定を特段行うわけではないため、簡
便である。
【００１２】
また、上記目的を達成するための本発明による動画像処理装置は、一定の周期で順に記
録される動画像各々についてのインデックス画像を作成する動画像処理装置において、基
準となる１つの動画像を特定する基準動画像特定手段と、この基準動画像特定手段で特定
された基準動画像のインデックス画像として、その基準動画像から静止画像を選択して設
定する基準インデックス画像設定手段と、前記基準動画像の記録された周期と同一の周期
の動画像を特定する関連動画像特定手段と、この関連動画像特定手段で特定された関連動
画像のインデックス画像として、前記基準インデックス画像設定手段で設定された基準静
止画像を採択して設定する関連インデックス画像設定手段と、を備えている。
【００１３】
このような構成にすると、周期録画された番組タイトル名が同一のシリーズの動画像に
ついて、その各動画像のインデックス画像には、その動画像のうちの１つの基準動画像か
ら選択された静止画像が一律に設定されることになる。つまり、シリーズの動画像各々に
ついてのインデックス画像が全て同一のものとなる。しかも、そのインデックス画像の設
定に関しては、動画像ごとの編集モードでの設定を特段行うわけではないため、簡便であ
る。
【００１４】
ここで実用性を踏まえると、前記基準動画像が同一周期の動画像のうちの最初に記録さ
れた動画像であることが好ましい。
【００１５】
また、引き続きシリーズの動画像が周期録画される場合を想定すれば、前記関連動画像
特定手段及び前記関連インデックス画像設定手段は、前記関連動画像が新たに記録される
度に実行されることが好ましい。
【発明の効果】
【００１６】
本発明の動画像処理装置によれば、シリーズの動画像各々についてのインデックス画像
が全て同一のものとなるため、インデックス画像を一覧表示して動画像の検索を行う際、
同一のインデックス画像を頼りにしてシリーズの動画像を容易に判別することができる。
【発明を実施するための最良の形態】
【００１７】
以下に、本発明の動画像処理装置の一実施形態について図面を参照しながら詳述する。
図１は本発明の動画像処理装置の一実施形態であるＨＤＤレコーダの概略構成を示すブロ
ック図、図２はそのＨＤＤレコーダにおける周期録画での動作を示すフローチャート、図
３はそのＨＤＤレコーダにおける周期録画された動画像に対して基準動画像を別途指定す
る際の動作を示すフローチャートである。
【００１８】
図１に示すように、本実施形態での動画像処理装置１は、記録媒体としてハードディス
ク１３を採用したＨＤＤレコーダであって、受信した番組を予約録画や録画操作に基づき
ハードディスク１３に動画像データとして記録し、後に、その動画像データを再生操作に
基づきモニタ装置３０に送出して番組を表示させて視聴させることを基本的な機能とする
。また、その再生にあたって、ハードディスク１３に記録されている各動画像についての
インデックス画像（以下、「サムネイル画像」と記すことがある）を一覧表示させる機能
を有する。
【００１９】
この動画像処理装置１は、大きくは、システム制御回路２と、ＯＳＤ（On Screen Disp
lay）画像生成回路４と、操作部５と、受光部６と、計時回路７と、表示部８と、チュー
ナ９と、ＭＰＥＧ（Moving Picture Experts Group）エンコーダ１０と、バッファメモリ
１１と、ハードディスク装置（ＨＤＤ）１２と、サムネイル処理回路１５と、ＭＰＥＧデ
コーダ１６と、出力部１７とを備える。システム制御回路２はメモリ３を含む。ＨＤＤ１
２は、ハードディスク１３と情報記録ヘッド１４とを含む。チューナ９には、アンテナ２
０が接続される。出力部１７には、テレビや表示専用モニタ等のモニタ装置３０に接続さ
れる。
【００２０】
システム制御回路２は、信号の入出力を行ないながら、動画像処理装置１全体の動作を
制御する。この動作には、受信された動画像データ（音声データも含む）の記録、記録さ
れたデータの読み出し、サムネイル画像データの作成及び読み出し等が含まれる。この制
御は、例えばメモリ３に予め記憶されたプログラムに基づいて行なわれる。
【００２１】
システム制御回路２は、利用者の指示を検出すると、モニタ装置３０に所定の画面を表
示させるための信号を生成する。この画面には、周期録画や予約録画の設定のための画面
、記録された動画像データに基づく動画像が再生される画面、各動画像のサムネイル画像
が一覧表示される画面等が含まれる。
【００２２】
ＯＳＤ画像生成回路４は、操作部５からの指示、又は受光部６を介して取得したリモコ
ン端末からの指示に基づいて、或いはシステム制御回路２において予め定められた条件に
基づいて、メッセージ画像を表示するための信号を生成する。このメッセージ画像とは、
チャネル表示、録画設定画面表示、サムネイル一覧表示、音量表示等の画像であって、Ｈ
ＤＤ１３からの動画像とは異なる画像である。ＯＳＤ画像生成回路４は、このようなメッ
セージ画像の信号を生成すると、出力部１７に出力する。この信号が出力されると、その
信号が表すメッセージ画像がモニタ装置３０に表示される。
【００２３】
操作部５は、利用者が入力した指示を検出する。操作部５は、例えば動画像処理装置１
の前面のパネルに設けられた入力ボタンであるが、これに限られない。指示が検出される
と、その指示に対応する処理を実行させるための信号が生成される。この信号は、システ
ム制御回路２に出力される。
【００２４】
受光部６は、リモコン端末から発せられたリモコン信号を受信する。この信号は、シス
テム制御回路２に出力される。
【００２５】
計時回路７は、動画像処理装置１における時間を計測する。計時回路７は、外部から供
給される電源に基づいて作動するが、一時的な停電があっても、予め設定された時間は作
動し続けることができる。計時回路７は、時刻データをシステム制御回路２に出力する。
また、システム制御回路２からの制御信号が入力される。計時回路７の時刻は、システム
制御回路２から信号に基づいて補正される。
【００２６】
表示部８は、動画像処理装置１に関する情報を表示する。この情報には、時間、受信チ
ャネル、カウンタ、録画／再生モードその他の項目が含まれる。この表示部８は、例えば
動画像処理装置１の前面に設けられたＬＣＤ（Liquid Crystal Display）やＬＥＤ（Ligh
t Emitting Diode）であるが、これに限られない。
【００２７】
チューナ９は、アナログ放送、デジタル放送等により送信される番組の動画像データを
アンテナ２０を介して受信する。チューナ９により受信されたデータ信号は、ＭＰＥＧエ
ンコーダ１０に出力される。また、チューナ９は、システム制御回路２からの信号に基づ
いて受信チャネルを切り換えることができる。
【００２８】
ＭＰＥＧエンコーダ１０は、チューナ９から入力されたアナログ信号をＭＰＥＧ符号化
されたデジタル信号に変換して、システム制御回路２に出力する。
【００２９】
ＨＤＤ１２は、システム制御回路２からの信号に基づいて、ＭＰＥＧ符号化されたデー
タを情報記録ヘッド１４によりハードディスク１３に書き込んだり、ハードディスク１３
に記憶されたデータを読み出したりする。ここでのハードディスク１３は、そのデータ記
憶領域として、管理データ領域とオブジェクトデータ領域とを有する。オブジェクトデー
タ領域には、動画像オブジェクトそのものを表すオブジェクトデータが記録される。一方
管理データ領域には、ハードディスク１３に記録される各動画像のデータを管理するため
の管理データが記録される。この管理データとしては、動画像オブジェクトごとのデータ
体系に関するデータ、録画チャネルや録画日時等の属性に関するデータ、サムネイル画像
に関するデータ等が含まれる。
【００３０】
バッファメモリ１１は、システム制御回路２からの信号に基づいて、動画像処理装置１
により受信された動画像データを一時的に記録する。一時的に記録されたデータは、順次
ＨＤＤ１２へ送出される。
【００３１】
サムネイル処理回路１５は、システム制御回路２からの信号に基づいて、一番組に相当
する動画像のデータから一静止画像に関するデータを抽出し、この抽出したデータをサム
ネイル画像の画像データとして、ＨＤＤ１２へ送出する。送出されたデータは、ハードデ
ィスク１３の管理データ領域に記録される。ここで記録されるデータの形式としては、動
画像中の一静止画像のオブジェクトデータ形式のもの、又は動画像中の一静止画像の存在
位置に相当するアドレスを示す形式のものがある。また、サムネイル処理回路１５は、シ
ステム制御回路２からの信号に基づいて、ＨＤＤ１２からハードディスク１３に記録され
ているデータを受け取ることもできる。この場合、受け取ったデータよりサムネイル画像
に関するデータを加工して、再度ＨＤＤ１２へ送出する。再度送出されたデータは、ハー
ドディスク１３の管理データ領域に更新して記録される。
【００３２】
ＭＰＥＧデコーダ１６は、ＨＤＤ１２から読み出された、ＭＰＥＧ符号化されたデータ
を復号化して出力部１７に出力する。
【００３３】
出力部１７は、ＯＳＤ画像生成回路４からの信号、及びＭＰＥＧデコーダ１６からの信
号をモニタ装置３０に出力する。これにより、モニタ装置３０には、ＯＳＤ画像生成回路
４により生成された画像メッセージと、ＨＤＤ１２から読み出された動画像とが表示され
る。ここで、ＯＳＤ画像生成回路４を通じてモニタ装置３０に表示されるサムネイル一覧
表示は、ハードディスク１３の管理データ領域から読み出されたサムネイル画像に関する
データに従って行なわれる。
【００３４】
続いて、動画像処理装置１による周期録画を含む予約録画の設定について説明する。操
作部５又はリモコン端末から、予約録画設定の指令を受けると、システム制御回路２によ
り、ＯＳＤ画像生成回路４を通じてモニタ装置３０に録画設定画面が表示される。録画設
定画面では、録画対象番組のチャネル、録画開始時刻、録画終了時刻、録画日、毎週録画
、毎日録画といった録画そのものにまつわる項目に加え、サムネイル画像の同一化の有無
を受け付ける欄が表示される。サムネイル画像の同一化については、詳細は後述する。
【００３５】
ここで、一定の周期で送信されるシリーズの番組を周期録画しようとする場合、その番
組のチャネル、録画開始時刻、録画終了時刻、及び周期録画を指定する毎週録画、毎日録
画等について、主にリモコン端末での操作によって設定する。更に、その周期録画される
番組タイトル名が同一のシリーズの動画像各々についてサムネイル画像の同一化を行おう
とする場合は、サムネイル画像の同一化を「有」に設定する。このサムネイル同一化の設
定は、対象の周期録画が実際に始まる前の最初の設定段階で行ってもよいが、周期録画が
幾つか進んで幾つかの動画像の録画が済んだ後に行うことも可能である。
【００３６】
一回限りの予約録画をしようとする場合は、その対象番組のチャネル、録画開始時刻、
録画終了時刻、及び録画日等について、主にリモコン端末での操作によって設定する。
【００３７】
このような周期録画、予約録画に関する入力設定データは、メモリ３に保存される。こ
こでの周期録画に関するデータは、周期録画が解除されるまでメモリ３に保存され続け、
一回限りの予約録画に関するデータは、その録画が完了すると消去される。
【００３８】
次に、動画像処理装置１による周期録画での動作について、図２を参照しながら説明す
る。システム制御回路２は、メモリ３に保存されている周期録画に関するデータに基づき
、所定の時間になると、チューナ９からＭＰＥＧエンコーダ１０を介して所定のチャネル
の動画像データを受け付ける。その動画像データは、バッファメモリ１１に一時的に記録
され、順次ＨＤＤ１２へ送出される。送出されたデータは、情報記録ヘッド１４によりハ
ードディスク１３に書き込まれて記録されていく。
【００３９】
その際、先ずステップＳ５において、周期録画に関するデータにおけるサムネイル画像
の同一化設定の有無を判別する。ここで同一化設定が「有」の場合は、ステップＳ１０へ
進む。
【００４０】
ステップＳ１０では、同じ周期録画で録画が済んだ動画像データがハードディスク１３
に存在するか否かを判別する。ここで周期録画済みの動画像データが無い場合、すなわち
当該動画像が周期録画のうちの最初の動画像である場合は、ステップＳ１５へ進む。
【００４１】
ステップＳ１５では、当該最初の動画像を基準動画像に指定し、その指定情報をメモリ
３に保存する。これと併せて、ステップＳ２０で、サムネイル処理回路１５が、その動画
像データからその動画像中の先頭の静止画像に関するデータを抽出して選択し、その選択
したデータをその動画像についてのサムネイル画像の画像データとしてバッファメモリ１
１に送出し、ステップＳ２５へ進む。
【００４２】
次いでステップＳ２５において、バッファメモリ１１は、その動画像のオブジェクトデ
ータと共に、サムネイル処理回路１５から受け取ったデータをＨＤＤ１２に送出する。ハ
ードディスク１３においては、管理データ領域に、サムネイル処理回路１５から受け取っ
たデータが、その動画像のサムネイル画像、ひいては基準サムネイル画像として設定され
て記録される。そしてステップＳ３０へ進む。
【００４３】
一方、ステップＳ５においてサムネイル画像の同一化設定が「無」の場合は、ステップ
Ｓ５０へ進み、この場合、サムネイル処理回路１５が、当該動画像の動画像データからそ
の動画像中の先頭の静止画像に関するデータを抽出して選択し、その選択したデータをそ
の動画像についてのサムネイル画像の画像データとしてバッファメモリ１１に送出し、ス
テップＳ５５へ進む。
【００４４】
次いでステップＳ５５において、バッファメモリ１１は、その動画像のオブジェクトデ
ータと共に、サムネイル処理回路１５から受け取ったデータをＨＤＤ１２に送出する。ハ
ードディスク１３においては、管理データ領域に、サムネイル処理回路１５から受け取っ
たデータが、その動画像のサムネイル画像として設定されて記録される。そしてステップ
Ｓ３０へ進む。
【００４５】
また一方、ステップＳ１０において周期録画済みの動画像データが有る場合は、ステッ
プＳ７０へ進み、この場合、基準動画像が指定されているか否かを判別する。つまり、メ
モリ３に基準動画像の指定情報が存在しているか否かを判別する。ここで基準動画像の指
定が無い場合は、ステップＳ７５へ進み、指定が有る場合は、ステップＳ９０へ進む。
【００４６】
ステップＳ７５では、当該動画像のサムネイル画像の設定にあたり、先ず、周期録画済
みの動画像のうちで最初に録画された動画像を基準動画像に指定し、その指定情報をメモ
リ３に保存する。これと併せて、ステップＳ８０で、サムネイル処理回路１５が、ＨＤＤ
１２からその基準動画像に指定された動画像、すなわち最初に録画された動画像について
のサムネイル画像に関するデータを採択して受け取り、その受け取ったデータを当該動画
像についてのサムネイル画像の画像データとして、バッファメモリ１１に送出し、ステッ
プＳ９５へ進む。
【００４７】
次いでステップＳ９５において、バッファメモリ１１は、その動画像のオブジェクトデ
ータと共に、サムネイル処理回路１５から受け取ったデータをＨＤＤ１２に送出する。ハ
ードディスク１３においては、管理データ領域に、サムネイル処理回路１５から受け取っ
たデータが、その動画像のサムネイル画像として設定されて記録される。そしてステップ
Ｓ３０へ進む。
【００４８】
但し、ここでは、周期録画済みの動画像のうちで、最初に録画された動画像、すなわち
基準動画像に指定された動画像については、サムネイル処理回路１５から受け取った自己
を源とするデータが、その動画像のサムネイル画像、ひいては基準サムネイル画像として
更新されて記録される。また、最初に録画された動画像を除く他の周期録画済みの動画像
については、その基準サムネイル画像のデータが、各々の動画像のサムネイル画像として
更新されて記録される。
【００４９】
ステップＳ７０において基準動画像の指定が有る場合は、ステップＳ９０へ進み、この
場合、サムネイル処理回路１５が、ＨＤＤ１２から基準動画像に指定された動画像につい
ての基準サムネイル画像に関するデータを採択して受け取り、その受け取ったデータを当
該動画像についてのサムネイル画像の画像データとして、バッファメモリ１１に送出し、
ステップＳ９５へ進む。
【００５０】
次いでステップＳ９５において、バッファメモリ１１は、その動画像のオブジェクトデ
ータと共に、サムネイル処理回路１５から受け取ったデータをＨＤＤ１２に送出する。ハ
ードディスク１３においては、管理データ領域に、サムネイル処理回路１５から受け取っ
たデータが、その動画像のサムネイル画像として設定されて記録される。そしてステップ
Ｓ３０へ進む。
【００５１】
ステップＳ３０では、周期録画が解除されたか否かを判別する。ここで周期録画が解除
されていない場合は、ステップＳ５に戻って上記の動作が行われ、周期録画が解除されて
いる場合は、終了する。
【００５２】
このようにして周期録画された番組タイトル名が同一のシリーズの動画像については、
既に周期録画済みの動画像、新たに同一周期で周期録画される動画像にかかわらず、その
各動画像のサムネイル画像として、その動画像のうちの最初に記録された動画像から選択
された静止画像が一律に設定されて記録されることになる。つまり、シリーズの動画像各
々についてのサムネイル画像が全て同一のものとなる。しかも、そのサムネイル画像の設
定に関しては、動画像ごとの編集モードでの設定を特段行うわけではないため、簡便であ
る。
【００５３】
そして、システム制御回路２が、操作部５又はリモコン端末によって、記録されている
動画像についてのサムネイル一覧表示の指令を受けると、ＨＤＤ１２により、ハードディ
スク１３から各動画像のサムネイル画像に関するデータが読み出され、そのデータに基づ
くサムネイル画像がＯＳＤ画像生成回路４、出力部１７を通じてモニタ装置３０に一覧表
示される。このサムネイル一覧表示でのサムネイル画像は、周期録画された番組タイトル
名が同一のシリーズの動画像については、基準動画像である最初に周期録画された動画像
では、その基準動画像の先頭の静止画像が表示され、その他の動画像では、基準動画像の
先頭の静止画像が割り当てられて表示され、同一のものとなる。従って、サムネイル画像
を一覧表示して動画像の検索を行う際、同一のサムネイル画像を頼りにしてシリーズの動
画像を容易に判別することができる。
【００５４】
次に、動画像処理装置１で周期録画された動画像に対して基準動画像を別途指定する場
合の動作について、図３を参照しながら説明する。ステップＳ１０５において、基準動画
像となる動画像を選定する。この選定は、記録されている動画像についてのサムネイル一
覧表示画面や、タイトル一覧表示画面で行うことができる。
【００５５】
次いでステップＳ１１０において、その指定された動画像を基準動画像に指定し、その
指定情報をメモリ３に更新して保存する。これと併せて、ステップＳ１１５で、サムネイ
ル処理回路１５が、ＨＤＤ１２からその基準動画像に指定された動画像中の先頭の静止画
像に関するデータを抽出して受け取り、その受け取ったデータをその動画像についてのサ
ムネイル画像の画像データとして、バッファメモリ１１に送出し、ステップＳ１２０へ進
む。
【００５６】
なお、ここでのステップＳ１１５では、指定された動画像中の先頭の静止画像に関する
データが自動的に抽出されるわけであるが、例えば編集モードに移行してその動画像を再
生しながらその中から適切な静止画像が選択され、この選択されたデータがその動画像に
ついてのサムネイル画像の画像データとして、バッファメモリ１１に送出されても構わな
い。
【００５７】
次いでステップＳ１２０において、バッファメモリ１１は、サムネイル処理回路１５か
ら受け取ったデータをＨＤＤ１２に送出する。ハードディスク１３においては、管理デー
タ領域に、サムネイル処理回路１５から受け取ったデータが、その動画像のサムネイル画
像、ひいては基準サムネイル画像として更新されて記録される。
【００５８】
続いてステップＳ１２５では、同じ周期録画で録画が済んだ動画像データがハードディ
スク１３に存在するか否かを判別する。ここで周期録画済みの動画像データが有る場合は
、ステップＳ１３０へ進み、一方、無い場合は終了する。
【００５９】
ステップＳ１３０では、ステップＳ１１０で指定された動画像を除く他の周期録画済み
の動画像について、更新記録された基準サムネイル画像のデータが選択される。この選択
されたデータが、ステップＳ１３５において、ハードディスク１３の管理データ領域に、
各々の動画像のサムネイル画像として更新されて記録され、その後終了する。
【００６０】
このようにして基準動画像を別途指定すると、既に周期録画済みの動画像に対して、最
初に記録された動画像とは異なる動画像から基準サムネイル画像となる静止画像を採択す
ることも可能であるし、各動画像についてのサムネイル画像がやはり同一のものとなる。
更にこの場合、周期録画が解除されない限り、その後引き続き同一周期の新たな動画像が
周期録画される際は、図２のステップＳ７０、Ｓ９０、Ｓ９５に従って、その新たな動画
像のサムネイル画像として、別途指定された基準動画像の基準サムネイル画像が採択され
て記録され、シリーズの動画像各々についてのサムネイル画像が全て同一のものとなる。
しかも、そのサムネイル画像の設定に関しては、基準動画像に対しての設定以外には動画
像ごとの編集モードでの設定を特段行うわけではないため、簡便である。
【００６１】
そして、この場合のサムネイル一覧表示でのサムネイル画像は、周期録画された番組タ
イトル名が同一のシリーズの動画像については、別途指定された基準動画像の動画像では
、その基準動画像からの一静止画像が表示され、その他の動画像では、基準動画像のその
一静止画像が割り当てられて表示され、同一のものとなる。従って、サムネイル画像を一
覧表示して動画像の検索を行う際、同一のサムネイル画像を頼りにしてシリーズの動画像
を容易に判別することができる。
【００６２】
その他本発明は上記の実施形態に限定されず、本発明の趣旨を逸脱しない範囲で、種々
の変更が可能である。上記の実施形態では、動画像処理装置１としてＨＤＤレコーダを例
に挙げて説明したが、記録媒体としてＤＶＤを採用したＤＶＤレコーダであっても構わな
い。但し、ＤＶＤレコーダの場合、準拠する規格によってＤＶＤ上でのデータ記憶領域に
記録するデータが制限されることに留意する必要がある。例えば、ＤＶＤ−ＶＲ方式の規
格に準拠するＤＶＤレコーダでは、周期録画された番組タイトル名が同一である動画像を
示す情報データは、各動画像のＩＦＯファイルにおいてＯＲＧ＿ＰＧＣＩテーブルを構成
するＯＲＧ＿ＰＧＩテーブル内のＩＴ＿ＴＥＸＴテーブル内に記録される。また、その動
画像各々についてのサムネイル画像を示す情報データは、各動画像のＩＦＯファイルにお
いてＯＲＧ＿ＰＧＣＩテーブルを構成するＯＲＧ＿ＰＧＩテーブル内に記録される。
【産業上の利用可能性】
【００６３】
本発明は、ＨＤＤレコーダやＤＶＤレコーダといった動画像処理装置に有用である。
【図面の簡単な説明】
【００６４】
【図１】本発明の動画像処理装置の一実施形態であるＨＤＤレコーダの概略構成を示すブロック図である。
【図２】図１の動画像処理装置における周期録画での動作を示すフローチャートである。
【図３】図１の動画像処理装置における周期録画された動画像に対して基準動画像を別途指定する際の動作を示すフローチャートである。
【符号の説明】
【００６５】
１    動画像処理装置
２    システム制御回路
３    メモリ
４    ＯＳＤ画像生成回路
５    操作部
６    受光部
７    計時回路
８    表示部
９    チューナ
１０    ＭＰＥＧエンコーダ
１１    バッファメモリ
１２    ハードディスク装置
１３    ハードディスク
１４    情報記録ヘッド
１５    サムネイル処理回路
１６    ＭＰＥＧデコーダ
１７    出力部
２０    アンテナ
３０    モニタ装置
【図１】
2006339720.tif 000003
【図２】
2006339720.tif 000004
【図３】
2006339720.tif 000005